【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
個人に関する身体的特性情報、パフォーマンス特性情報、及び、ショット特性情報を、処理装置で受信する受信ステップと、
前記個人のために、最適なゴルフクラブのための最適なクラブ構成を、前記処理装置で計算する計算ステップと、を備えており、
前記ショット特性情報は、前記処理装置に接続される追跡装置から前記処理装置の弾道アナライザに受信され、
前記最適なクラブ構成は、前記処理装置の構成オプションアナライザによって計算され、
前記計算ステップは、前記個人に関する前記身体的特性情報、前記パフォーマンス特性情報、及び、前記ショット特性情報の少なくとも１個の情報に基づいて、第１のクラブ構成と第２のクラブ構成とを備える複数個のクラブ構成のそれぞれについての最初のオプションを、前記構成オプションアナライザで出力するステップと、
前記個人が前記第１のクラブ構成の最初のオプションと前記第２のクラブ構成の最初のオプションとを備える第１のテストクラブを用いて行った、１回以上の第１のゴルフショットから得られるデータを、前記追跡装置から受信するステップと、
前記構成オプションアナライザで、前記第１のクラブ構成の最初のオプションが、前記個人にとって前記第１のクラブ構成における最適なオプションであるか否かを計算するステップと、
前記第１のクラブ構成の最初のオプションが、前記第１のクラブ構成における最適なオプションでない場合に、前記個人に対する前記第１のクラブ構成の最適なオプションが特定されるまで、前記第１のクラブ構成の別のオプションを、前記構成オプションアナライザで出力するステップと、
前記第１のクラブ構成の最初のオプションが、前記第１のクラブ構成における最適なオプションである場合に、前記個人が前記第１のクラブ構成の最適なオプションと前記第２のクラブ構成の最初のオプションとを備える第２のテストクラブを用いて行った、１回以上の第２のゴルフショットから得られるデータを、前記追跡装置から受信するステップと、
前記構成オプションアナライザで、前記第１のクラブ構成が前記最適なオプションである場合に、前記第２のクラブ構成の最初のオプションが、前記個人にとって前記第２のクラブ構成における最適なオプションであるか否かを計算するステップと、
前記第２のクラブ構成の最初のオプションが、前記第２のクラブ構成における最適なオプションでない場合に、前記個人に対する前記第２のクラブ構成の最適なオプションが特定されるまで、前記第２のクラブ構成の別のオプションを、前記構成オプションアナライザで出力するステップと、
を備える方法。
【請求項２】
個人に関する前記身体的特性情報、前記パフォーマンス特性情報、及び、前記ショット特性情報を受信する前記受信ステップは、個人の性別、年齢、利き手、手の寸法、身長、及び、手首から床までの距離の少なくとも１つに関する情報を受信するステップを備える請求項１に記載の方法。
【請求項３】
個人に関する前記身体的特性情報、前記パフォーマンス特性情報、及び、前記ショット特性情報を受信する前記受信ステップは、
１又は複数のゴルフクラブの平均キャリー距離、
ハンディキャップ、及び、
個人の距離、方向、弾道、又は、ショットパターン関するゴルフの好みの少なくとも１つの情報を受信するステップを備える請求項１又は２に記載の方法。
【請求項４】
個人に関する前記身体的特性情報、前記パフォーマンス特性情報、及び、前記ショット特性情報を受信する前記受信ステップは、
ショット中のゴルフクラブの速度、
ゴルフクラブでの打撃に反応したゴルフボールの速度、
ゴルフクラブでの打撃に反応したボールの打出し角度、
ゴルフクラブでの打撃に反応したゴルフボールのバックスピン、
ゴルフクラブでの打撃に反応したゴルフボールのサイドスピン、
ゴルフボールのスマッシュファクタ、
ショットの総合距離、
ショットの曲がり、及び、
ショットのオフセンター距離の少なくとも１つの情報を受信するステップを備える請求項１から３のいずれか一項に記載の方法。
【請求項５】
前記身体的特性情報、前記パフォーマンス特性情報、及び、前記ショット特性情報の少なくとも１つに基づいて、１個又は複数の表示を生成するステップであって、
前記１個又は複数の表示は、三次元弾道表示及び、ショット分散表示の少なくとも１つを備える、請求項１から４のいずれか一項に記載の方法。
【請求項６】
前記１個又は複数の表示の少なくとも一部は、ゴルフボールの条件、天候条件、及び、ゴルフコースの条件の少なくとも１つに基づく、請求項５に記載の方法。
【請求項７】
前記複数の表示を生成する前記ステップは、１又は複数の弾道を含む三次元弾道表示を生成するステップを備え、
１又は複数の弾道のそれぞれは、ゴルフクラブの複数のショットの平均を示す請求項５又は６に記載の方法。
【請求項８】
前記１個又は複数の表示を生成する前記ステップは、第１の色又は第１の陰影パターンの少なくとも一方で表示される第１の弾道であって、前記弾道アナライザによって計算される前記第１の弾道と、第２の色又は第２の陰影パターンの少なくとも一方で表示される第２の弾道であって、前記弾道アナライザによって計算される前記第２の弾道を含む三次元弾道表示を生成するステップを備える請求項５から７のいずれか一項に記載の方法。
【請求項９】
前記１個又は複数の表示を生成する前記ステップは、ゴルフクラブの第１のショットを示す第１の弾道と、前記ゴルフクラブの第２のショットを示す第２の弾道を含む三次元弾道表示を生成するステップを備える請求項５から８のいずれか一項に記載の方法。
【請求項１０】
前記１個又は複数の表示を生成する前記ステップは、第１の色で表示される第１の弾道であって前記弾道アナライザによって計算される前記第１の弾道と、第２の色で表示される第２の弾道であって前記弾道アナライザによって計算される前記第２の弾道を含む三次元弾道表示を生成するステップを備え、
前記第１の弾道は、第１のゴルフクラブに関する複数のショットの平均を示し、
前記第２の弾道は、第２のゴルフクラブに関する複数のショットの平均を示す請求項５から８いずれか一項に記載の方法。
【請求項１１】
前記個人の１又は複数のスイングパラメータに基づいて、前記処理装置によって計算される最適弾道範囲を含む二次元弾道表示を生成するステップをさらに備え、
前記最適弾道範囲は、前記最適弾道範囲の範囲を定める上限弾道境界と下限弾道境界とを備える、請求項１から１０のいずれか一項に記載の方法。
【請求項１２】
前記処理装置で、１又は複数のスイングパラメータに関連する目標範囲を示す最適弾道範囲と二次元弾道表示の１又は複数の弾道とを比較するステップを、さらに備える請求項１１に記載の方法。
【請求項１３】
前記１個又は複数の表示を生成する前記ステップは、１個又は複数の外周を含むショット分散表示を生成するステップを備え、１個又は複数の外周のそれぞれは、２回以上のショットを示す請求項５から１２のいずれか一項に記載の方法。
【請求項１４】
前記処理装置に接続されている表示装置に表示される構成要素オプション表示を、前記構成オプションアナライザで生成するステップをさらに備え、
前記構成要素オプション表示は、前記第１のクラブ構成の最適なオプションと、前記第２のクラブ構成の最適なオプションと、を含む、前記個人にとって前記最適なゴルフクラブのための前記最適なクラブ構成を表示する、請求項１から１３のいずれか一項に記載の方法。
【請求項１５】
前記第１のクラブ構成と前記第２のクラブ構成とが最適なオプションである場合に、前記複数個のクラブ構成のうちの第３のクラブ構成の最適なオプションを特定するステップと、
前記第１のクラブ構成と前記第２のクラブ構成と前記第３のクラブ構成とが最適なオプションである場合に、前記複数個の記複数個のクラブ構成のうちの第４のクラブ構成の最適なオプションを特定するステップと、をさらに備える、請求項１から１４のいずれか一項に記載の方法。
【請求項１６】
前記第１のクラブ構成は、ゴルフクラブのモデルと、ゴルフクラブのロフト角と、ゴルフクラブのライ角と、ゴルフクラブのシャフトと、ゴルフクラブの長さと、ゴルフクラブのグリップと、ゴルフクラブのバウンスと、ゴルフクラブの重さのうちの１個を備え、
前記第２のクラブ構成は、ゴルフクラブモデルと、ゴルフクラブのロフト角と、ゴルフクラブのライ角と、ゴルフクラブのシャフトと、ゴルフクラブの長さと、ゴルフクラブのグリップと、ゴルフクラブのバウンスと、ゴルフクラブの重さのうちの、前記第１のクラブ構成とは別の１個を備える請求項１から１５のいずれか一項に記載の方法。
【請求項１７】
前記第１のクラブ構成は、ゴルフクラブのモデルを備え、
前記第２のクラブ構成は、前記ゴルフクラブのモデルに基づくゴルフクラブのロフト角を備える、請求項１から１６のいずれか一項に記載の方法。
【請求項１８】
前記構成オプションアナライザで、前記処理装置に接続されているデータベースから前記複数個のクラブ構成のそれぞれについて、前記最初のオプションと前記最適なオプションとにアクセスするステップを、さらに備える、請求項１から１７のいずれか一項に記載の方法。
【請求項１９】
前記１個又は複数の外周は、１個の領域内に含まれる特定のパーセンテージのゴルフショットを包囲しており、
前記１個又は複数の外周のうちの第１の外周は、フックショットと、第１のドローショットとプルショットのうちの１つの周囲の境界を表し、
前記１個又は複数の外周のうちの第２の外周は、第２のドローショットと、スライスショットと、フェイドショットと、プッシュショットのうちの１つの周囲の境界を表す、請求項１３に記載の方法。
【請求項２０】
前記１個又は複数の外周のうちの前記第１の外周は、前記複数個のクラブ構成のオプションのうちの第１のセットを備える第１のゴルフクラブからのショットに関連し、
前記１個又は複数の外周のうちの前記第２の外周は、前記複数個のクラブ構成のオプションのうちの第２のセットを備える第２のゴルフクラブからのショットに関連する、請求項１９に記載の方法。
【請求項２１】
前記個人に関連する前記ショット特性情報を受信する前記ステップは、
前記処理装置の弾道アナライザと前記処理装置のショット分散アナライザの少なくとも一方を備えるアナライザモジュールにおいて、第１のゴルフボールタイプで、１回又は複数回のフィッティングのためのショットに関連するデータを受信するステップを備え、
前記１回又は複数回のフィッティングのためのショットに関連する前記データと、第２のゴルフボールタイプに関連するゴルフボールデータから得られるフィッティングためのショット弾道情報を、前記アナライザモジュールで計算するステップと、
前記アナライザモジュールを介して、前記第２のゴルフボールタイプで１回又は複数回のフィッティングのためのショットがなされたかのように、前記１個又は複数個のフィッティングのためのショットの擬似表示を提供するステップと、をさらに備える、請求項１から２０のいずれか一項に記載の方法。
【請求項２２】
前記第１のゴルフボールタイプは、プレミアムでないゴルフボールタイプと練習場用ゴルフボールタイプの少なくとも一方を備え、
前記第２のゴルフボールタイプは、プレミアムゴルフボールタイプと練習場用でないゴルフボールタイプの少なくとも一方を備える、請求項２１に記載の方法。
【請求項２３】
個人に関する身体的特性情報、パフォーマンス特性情報、及び、ショット特性情報を受信する処理装置であって、前記個人のために、最適なゴルフクラブのための最適なクラブ構成を計算する前記処理装置を備え、
前記処理装置は、構成オプションアナライザと弾道アナライザとを備え、
前記弾道アナライザは、前記処理装置に接続される追跡装置から前記ショット特性情報受信し、
前記構成オプションアナライザは、
前記個人に関する前記身体的特性情報、前記パフォーマンス特性情報、及び、前記ショット特性情報の少なくとも１個の情報に基づいて、第１のクラブ構成と第２のクラブ構成とを備える複数個のクラブ構成のそれぞれについての最初のオプションを出力し、
前記個人が前記第１のクラブ構成の最初のオプションと前記第２のクラブ構成の最初のオプションとを備える第１のテストクラブを用いて行った、１回以上の第１のゴルフショットから得られるデータを、前記追跡装置から受信し、
前記第１のクラブ構成の最初のオプションが、前記個人にとって前記第１のクラブ構成における最適なオプションであるか否かを計算し、
前記第１のクラブ構成の最初のオプションが、前記第１のクラブ構成における最適なオプションでない場合に、前記個人に対する前記第１のクラブ構成の最適なオプションが特定されるまで、前記第１のクラブ構成の別のオプションを、前記構成オプションアナライザで出力し、
前記第１のクラブ構成の最初のオプションが、前記第１のクラブ構成における最適なオプションである場合に、前記個人が前記第１のクラブ構成の最適なオプションと前記第２のクラブ構成の最初のオプションとを備える第２のテストクラブを用いて行った、１回以上の第２のゴルフショットから得られるデータを、前記追跡装置から受信し、
前記第１のクラブ構成が前記最適なオプションである場合に、前記第２のクラブ構成の最初のオプションが、前記個人にとって前記第２のクラブ構成における最適なオプションであるか否かを計算し、
前記第２のクラブ構成の最初のオプションが、前記第２のクラブ構成における最適なオプションでない場合に、前記個人に対する前記第２のクラブ構成の最適なオプションが特定されるまで、前記第２のクラブ構成の別のオプションを出力する、装置。
【請求項２４】
前記弾道アナライザは、１又は複数の弾道を含む三次元弾道表示を生成し、
１又は複数の弾道のそれぞれは、ゴルフクラブの複数のショットの平均を示す請求項２３に記載の装置。
【請求項２５】
前記弾道アナライザは、第１の色又は第１の陰影パターンの少なくとも一方で表示される第１の弾道であって、前記弾道アナライザによって計算される前記第１の弾道と、第２の色又は第２の陰影パターンの少なくとも一方で表示される第２の弾道であって、前記弾道アナライザによって計算される前記第２の弾道を含む三次元弾道表示を生成する請求項２３又は２４に記載の装置。
【請求項２６】
前記弾道アナライザは、前記個人の１又は複数のスイングパラメータに基づいて、前記処理装置によって計算される目標範囲を示す最適弾道範囲を含む二次元弾道表示を生成し、
前記最適弾道範囲は、前記最適弾道範囲の範囲を定める上限弾道境界と下限弾道境界とを備える、請求項２３から２５のいずれか一項に記載の装置。
【請求項２７】
前記弾道アナライザは、１又は複数のスイングパラメータに関連する目標範囲を示す最適弾道範囲と二次元弾道表示の１又は複数の弾道とを比較する請求項２６に記載の装置。
【請求項２８】
前記弾道アナライザは、環境特性情報に基づく三次元弾道表示を生成し、
前記環境特性情報は、ゴルフボールの条件、天候条件、及び、ゴルフコースの条件の少なくとも１つを備える、請求項２３から２７のいずれか一項に記載の装置。
【請求項２９】
前記処理装置は、１個又は複数の外周を含むショット分散表示を生成するショット分散アナライザを備え、
１個又は複数の外周のそれぞれは、１本のゴルフクラブで打たれた２回以上のショットを示す請求項２３から２８のいずれか一項に記載の装置。
【請求項３０】
前記処理装置は、環境特性情報に基づくショット分散表示を生成するショット分散アナライザを備え、
前記環境特性情報は、ゴルフボールの条件、天候条件、及び、ゴルフコースの条件の少なくとも１つを備える、請求項２３から２９のいずれか一項に記載の装置。
【請求項３１】
前記構成オプションアナライザは、前記第１のクラブ構成の最適なオプションと、前記第２のクラブ構成の最適なオプションと、を含む、前記個人にとって前記最適なゴルフクラブのための前記最適なクラブ構成を表示する構成要素オプション表示を生成し、
前記第１のクラブ構成は、ゴルフクラブのモデルと、ゴルフクラブのロフト角と、ゴルフクラブのライ角と、ゴルフクラブのシャフトと、ゴルフクラブの長さと、ゴルフクラブのグリップと、ゴルフクラブのバウンスと、ゴルフクラブの重さのうちの１個を備え、
前記第２のクラブ構成は、ゴルフクラブモデルと、ゴルフクラブのロフト角と、ゴルフクラブのライ角と、ゴルフクラブのシャフトと、ゴルフクラブの長さと、ゴルフクラブのグリップと、ゴルフクラブのバウンスと、ゴルフクラブの重さのうちの、前記第１のクラブ構成とは別の１個を備える請求項２３から３０のいずれか一項に記載の装置。
【請求項３２】
前記第１のクラブ構成は、ゴルフクラブのモデルを備え、
前記第２のクラブ構成は、前記ゴルフクラブのモデルに基づくゴルフクラブのロフト角を備える、請求項２３から３１のいずれか一項に記載の装置。
【請求項３３】
前記構成オプションアナライザは、前記処理装置に接続されているデータベースから前記複数個のクラブ構成のそれぞれについて、前記最初のオプションと前記最適なオプションとにアクセスするステップを、さらに備える、請求項２３から３２のいずれか一項に記載の装置。
【請求項３４】
前記１個又は複数の外周は、１個の領域内に含まれる特定のパーセンテージのゴルフショットを包囲しており、
前記１個又は複数の外周のうちの第１の外周は、フックショットと、第１のドローショットとプルショットのうちの１つの周囲の境界を表し、
前記１個又は複数の外周のうちの第２の外周は、第２のドローショットと、スライスショットと、フェイドショットと、プッシュショットのうちの１つの周囲の境界を表す、請求項２９に記載の装置。
【請求項３５】
前記１個又は複数の外周のうちの前記第１の外周は、前記複数個のクラブ構成のオプションのうちの第１のセットを備える第１のゴルフクラブからのショットに関連し、
前記１個又は複数の外周のうちの前記第２の外周は、前記複数個のクラブ構成のオプションのうちの第２のセットを備える第２のゴルフクラブからのショットに関連する、請求項３４に記載の装置。
【請求項３６】
前記処理装置は、前記弾道アナライザとショット分散アナライザの少なくとも一方を備えるアナライザモジュールを、さらに備え、
前記アナライザモジュールは、
第１のゴルフボールタイプで、１回又は複数回のフィッティングのためのショットに関連するデータを受信し、
前記１回又は複数回のフィッティングのためのショットに関連する前記データと、第２のゴルフボールタイプに関連するゴルフボールデータと、から得られるフィッティングためのショット弾道情報を計算し、
前記第２のゴルフボールタイプで１回又は複数回のフィッティングのためのショットがなされたかのように、前記１個又は複数個のフィッティングのためのショットの仮想表示を提供する、請求項２３から３５のいずれか一項に記載の装置。
【請求項３７】
前記第１のゴルフボールタイプは、プレミアムでないゴルフボールタイプと練習場用ゴルフボールタイプの少なくとも一方を備え、
前記第２のゴルフボールタイプは、プレミアムゴルフボールタイプと練習場用でないゴルフボールタイプの少なくとも一方を備える、請求項３６に記載の装置。
【手続補正２】
【補正対象書類名】明細書
【補正対象項目名】０００４
【補正方法】変更
【補正の内容】
【０００４】
本明細書に開示された技術は、個人に関する身体的特性情報、パフォーマンス特性情報、及び、ショット特性情報を、処理装置で受信する受信ステップと、個人のために、最適なゴルフクラブのための最適なクラブ構成を、処理装置で計算する計算ステップと、を備えており、ショット特性情報は、処理装置に接続される追跡装置から処理装置の弾道アナライザに受信され、最適なクラブ構成は、処理装置の構成オプションアナライザによって計算され、計算ステップは、個人に関する身体的特性情報、パフォーマンス特性情報、及び、ショット特性情報の少なくとも１個の情報に基づいて、第１のクラブ構成と第２のクラブ構成とを備える複数個のクラブ構成のそれぞれについての最初のオプションを、構成オプションアナライザで出力するステップと、個人が第１のクラブ構成の最初のオプションと第２のクラブ構成の最初のオプションとを備える第１のテストクラブを用いて行った、１回以上の第１のゴルフショットから得られるデータを、追跡装置から受信するステップと、構成オプションアナライザで、第１のクラブ構成の最初のオプションが、個人にとって第１のクラブ構成における最適なオプションであるか否かを計算するステップと、第１のクラブ構成の最初のオプションが、第１のクラブ構成における最適なオプションでない場合に、個人に対する第１のクラブ構成の最適なオプションが特定されるまで、第１のクラブ構成の別のオプションを、構成オプションアナライザで出力するステップと、第１のクラブ構成の最初のオプションが、第１のクラブ構成における最適なオプションである場合に、個人が第１のクラブ構成の最適なオプションと第２のクラブ構成の最初のオプションとを備える第２のテストクラブを用いて行った、１回以上の第２のゴルフショットから得られるデータを、追跡装置から受信するステップと、構成オプションアナライザで、第１のクラブ構成が最適なオプションである場合に、第２のクラブ構成の最初のオプションが、個人にとって第２のクラブ構成における最適なオプションであるか否かを計算するステップと、第２のクラブ構成の最初のオプションが、第２のクラブ構成における最適なオプションでない場合に、個人に対する第２のクラブ構成の最適なオプションが特定されるまで、第２のクラブ構成の別のオプションを、構成オプションアナライザで出力するステップと、を備える方法である。
本明細書に開示された他の技術は、１又は複数のゴルフクラブをカスタムフィッティングするための方法において実現することができる。この方法は、個人に関する身体的特性情報、パフォーマンス特性情報、及び、ショット特性情報を受信するステップと、個人に１又は複数のゴルフクラブをカスタムフィッティングするために、身体的特性情報、パフォーマンス特性情報、及び、ショット特性情報の少なくとも１つに基づいて、複数の表示を生成するステップとを備えており、複数の表示は、三次元弾道表示、二次元弾道表示、及び、ショット分散表示の少なくとも１つを含む。